【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
a) i)処理ユニットを具備する分析サブシステムと、ii)警告ユニットと、を備える制御モジュールと、
b)通信ユニットと、
c)1又は複数のセンサーと、を備える、健常及び非健常な生物の両方のために構成される、シームレスな健康監視及び警告システムであって、
1又は複数の前記センサーの各々は、前記生物における所定の生理的又は化学的パラメーターを検出するように構成され、
前記通信ユニットは、1又は複数の前記センサーの各々から検出された前記パラメーターを受信して、検出された前記パラメーターを前記分析サブシステムに送信することを容易にし、
前記制御モジュールにおける前記分析サブシステムの前記処理装置は、検出された前記パラメーターを分析することで、検出された前記パラメーターの1又は複数又はそれらの組合せが異常であるか否かを決定し、
検出された前記パラメーターの少なくとも1つ又はその組み合わせが異常であると決定されると、前記警告ユニットが前記処理ユニットによって有効に作動して、前記健康監視システムを保有する前記生物、及び任意に1又は複数の所定の警告受信実体物に警告を出し、
前記警告ユニットが作動して、前記シームレスな健康監視システムを保持する前記生物に警告を出す際は、前記健康監視及び警告システムは、任意の遠隔実体物から充分に独立している、健康監視システム。
【請求項２】
前記分析サブシステムは、検出された前記パラメーターの少なくとも一部を格納するための記憶装置を備え、
検出され且つ格納された前記パラメーターは、傾向分析のために、適用分析のために、異常予測分析のために、そして、更なる外部分析用のデータ抽出を可能とするために使用され、
前記分析サブシステムは、前記傾向を分析して、検出された前記パラメーター又はそれらの組合せにおける異常な傾向を検出し、
前記傾向の少なくとも1つが異常であると決定されると、前記警告ユニットが有効に作動して、1又は複数の所定の警告受信実体物に警告を出す、請求項１に記載の健康監視システム。
【請求項３】
前記健康監視システムは、実質的に常時の動作を容易にする、請求項１に記載の健康監視システム。
【請求項４】
異常とされた前記パラメーターの境界線の定義は、前記生物における正常状態の経時的変化に対して、個人的、動的及び自動的に適応する、請求項１に記載の健康監視システム。
【請求項５】
前記システムは、前記健康監視中の前記生物による実施が要求される操作行動なしに前記警告を出すことを容易にする、請求項１に記載の健康監視システム。
【請求項６】
前記制御モジュールは、着用可能なモジュール、インビボモジュール及び携帯式装置からなるグループから選択される、請求項１に記載の健康監視システム。
【請求項７】
前記1又は複数のセンサーは、着用可能なセンサー及びインビボセンサーからなるセンサー群から選択される、請求項１に記載の健康監視システム。
【請求項８】
前記インビボセンサーは、ナノセンサーであり、
前記ナノセンサーは、血管を経てインビボ標的位置に輸送される、請求項7に記載の健康監視システム。
【請求項９】
前記インビボセンサーは、痛みを伴わないレーザーに基づく挿入によって、RFに基づく技術によって、錠剤若しくはカプセルを飲み込むことによって、経皮的輸送パッチによって、マイクロニードルを使用する注射によって、ナノニードルによって、標的にされるリポソーム輸送技術を用いて、又はナノチューブ輸送技術を用いてインビボ標的位置に輸送される、請求項8に記載の健康監視システム。
【請求項１０】
前記通信ユニット又は前記通信サブユニットは、前記インビボセンサーにシグナルを送信して、前記インビボセンサーから戻ってきた、前記送信シグナルの変調エコーを受信するように構成され、
前記変調エコーは、前記インビボセンサーによって検知された情報をもたらし、これによって、前記ナノセンサー用動力源の必要性が排除される、請求項8に記載の健康監視システム。
【請求項１１】
前記着用可能な制御ユニットは、一時的ではない携帯式電子装置、車椅子又は前記生物が通常持ち運ぶ個人装置に具体化されるソフトウェア製品か、それらに付属又は統合されるシームレスな着用可能な装置である、請求項6に記載の健康監視システム。
【請求項１２】
前記制御モジュールは、前記生物の口腔に配置され、そして口腔制御ユニットを有し、
好ましくは前記口腔制御ユニットは、前記生物の1又は複数の天然の歯又は義歯内部に配置される、請求項１に記載の健康監視システム。
【請求項１３】
前記口腔制御ユニットは、
iii)内部動力源と、
iv)維持管理ユニットと、を更に備え、
前記維持管理ユニットは、前記口腔制御ユニットの外部維持管理活動を容易にし、
前記外部維持管理活動は、前記処理ユニットを更新すること、データをダウンロードすること、パラメーターをセットアップ及び更新すること、新しい又は交換用ナノセンサーを挿入すること、試験分析要素を取り込むこと、処分廃棄物を取り出すこと、内部動力源を再充電すること、健康監視システムの選択メンバーの診断処理を実行することを含む一群の維持管理活動から選択される、請求項12に記載の健康監視システム。
【請求項１４】
前記口腔制御ユニットは、
v)少なくとも一つの口腔センサーを有する口腔試験ユニットと、
vi)少なくとも一つの口腔サンプラーと、を備え、
前記維持管理ユニットは、好ましくは試験分析要素用貯蔵庫と、試験分析から生じる廃棄物用貯蔵庫と、を備え、
少なくとも一つの前記口腔サンプラーは、口腔液、呼気及び血液を含む、口腔に存在する物質のグループから選択される口腔物質を収集し、
前記口腔試験ユニットが有効に作動して、1又は複数の前記分析要素と、1又は複数の前記口腔物質とを合わせることで、試験可能な物質が生じ、
少なくとも一つの前記口腔センサーは、前記試験可能な物質を検知して、試験データが生じるように構成され、
前記維持管理ユニットは、前記試験データを前記制御モジュールの前記分析サブシステムへ転送する、請求項13に記載の健康監視システム。
【請求項１５】
前記維持管理ユニットは、ナノセンサー及び/又は反応物質用貯蔵庫を備え、
前記維持管理ユニットは、要求に応じてか所定の間隔で前記ナノセンサー又は反応物質の輸送を容易にする、請求項13に記載の健康監視システム。
【請求項１６】
前記維持管理ユニットは、外部源から試験分析要素用の前記貯蔵庫へ取り込むための取込サービスチャネルと、廃棄物用の前記貯蔵庫から外の場所まで蓄積廃棄物を処分するための処分サービスチャネルと、を備え、
前記取込サービスチャネルは、通常操作の間は、密封・閉鎖され、
前記処分サービスチャネルは、通常操作の間は、密封・閉鎖される、請求項13に記載の健康監視システム。
【請求項１７】
前記1又は複数のセンサーは、電気センサー、光学センサー、音響センサー、加速度センサー、圧力に基づくセンサー、インピーダンスセンサー、伝導度センサー及び湿度センサーを含む物理的センサーのグループから選択される、請求項１に記載の健康監視システム。
【請求項１８】
加速度センサーのような前記物理的センサーは、身体の運動及び姿勢関連データを検知し、これによって、保有している生物における運動の自由を促進する、請求項17に記載の健康監視システム。